(57)【要約】      （修正有）【課題】ラチェット式制動ユニットによって方向限定する手工具の制動装置を提供する。【解決手段】手工具の一方側は組立て部品に合わせて調整する操作部とし、別側に設けた内設孔２１の二つの外側にはそれぞれ、凹部２１１及び側辺に位置する嵌合溝２１２を設け、しかも凹部に位置する内設孔内面には内歯止め２２を設け、これにより内設孔はそれぞれ回動体２３、複数の制止体２４を納め、回動体の外側には複数の複数のカット面を等分して設け、各制止体内側の押止面を押止させ、更に外側に設けた外歯止め２４２はそれに相対する内設孔の内歯止めに嵌合し、各制止体の両側はそれぞれ、連動棒をカット面の両側に嵌設し、内設孔の両側はそれぞれ側面蓋板によって封鎖する。これにより、回動体及び複数の制止体は内設孔において、時計回り（逆時計回り）時、嵌止押止を生じ、逆時計回り（時計回り）時、回動動作を形成するラチェット機能を達成する。【選択図】図２
0003146106.tif 000002
【実用新案登録請求の範囲】
【請求項１】
特に、手工具上にラチェット式の制動ユニットを設置した装置であり、最低、手工具及び制動ユニットによって構成され、該手工具の一方側は部品組み立てに合わせて調整する操作部とし、
該手工具の別側には制動ユニットを設け、該制動ユニットは内歯止めを備えた内設孔を備え、且つ、内設孔には嵌合孔を備える回動体を納め、並びに、回動体の外側は制止体を可動状態で連結した複数のカット面を等分して設け、各制止体外側には相対する内歯止めに嵌止する外歯止めを設け、内側には回動体のカット面を圧し接触する押止面を設け、更に、各制止体の両側にはそれぞれ、カット面両側に嵌設する連動棒を設け、各制止体及び内部に位置する回動体に納める内設孔両側にはそれぞれ、内設孔両側を封鎖する側面蓋板を設け、並びに、二つの側面蓋板上にはそれぞれ、回動体の嵌合孔に位置を合わせる貫通孔を設けることを特徴とする手工具の制動装置。
【請求項２】
前記手工具の内設孔の内歯止めは回動体及び複数の制止体に係合し、歯止めの一方向回転機能を備えるラチェットレンチを構成することを特徴とする請求項１記載の手工具の制動装置。
【請求項３】
前記手工具の内設孔は両側に凹部それぞれを設け、並びに、凹部の側面周囲には嵌合溝を備え、両側の凹部にはそれぞれ二つの側面蓋板を置き、更に二つの側面蓋板の外表面には、側面周囲の嵌合溝に嵌入して二つの側面蓋板の位置を制限し凹部に定位させる位置制限リングを設けることを特徴とする請求項１記載の手工具の制動装置。
【請求項４】
前記回動体内部に設けた嵌合孔は、四角形、六角形、多角形、梅花形、星形等形状の空洞孔であることを特徴とする請求項１記載の手工具の制動装置。
【請求項５】
前記回動体の外側には三角形、四角形、五角形、多角形等形状を成すカット面を等分に設けることを特徴とする請求項１記載の手工具の制動装置。
【請求項６】
前記回動体の各外側カット面に相隣する連結箇所の両側面にはそれぞれ、制止体の連動棒を定位させる為の定位孔を設けることを特徴とする請求項１記載の手工具の制動装置。
【請求項７】
前記制止体外部に設けた外弧面は、手工具の内設孔の孔径に適合し、しかも外弧面上には時計回りで嵌合し、逆時計回りで内歯止めから離れる外歯止めを設けることを特徴とする請求項１記載の手工具の制動装置。
【請求項８】
前記の制止体両側に設けた連動棒はく形状を成し、制止体内側の押止面は回動体のカット面に密着するか、押止面と回動体のカット面を分離して間隔を持たせることを特徴とする請求項１記載の手工具の制動装置。
【請求項９】
前記の手工具の一方側に設けた操作部は、開口式のモンキーレンチ、円環式のトルクスレンチ、ハンマー、ドライバー等の手工具とすることを特徴とする請求項１記載の手工具の制動装置。
【考案の詳細な説明】
【技術分野】
【０００１】
本考案の提供する手工具の制動装置は、特に、手工具上に歯止め式の制動ユニットを設置した装置であり、ラチェット式制動ユニットによって手工具を方向限定をして使用操作でき、ラチェットの回転嵌止効果を達成するものである。
【背景技術】
【０００２】
機械の工作機具の操作、メンテナンス、構成要素の装着、組立て、及び関連する作業工程等において、通常、各種の工具、ジグ、カッター等が使用されている。多くの手工具の中で使用率が高く頻繁に使用される、例えばボルトを回転させるレンチは、ボルト頭の外形に合わせて適当な手工具を選択しなければならず、その内、最もよく使用されるレンチには、モンキーレンチ、トルクスレンチ、六角レンチ等がある。しかし、各種レンチを使用する場合、回動角度または周辺器具に邪魔をされる故、使用する場合、回転、戻し、位置を合わせて嵌設、回転を繰り返してこそボルトを締めたり外すことが可能となる。このような操作方式は、レンチ使用時の操作を不便にし、戻したり位置を合わせて嵌合する等の動作を繰り返した後は、非常に多くの時間や労力が使われる。そこで業者は、手工具使用における不便性を解決する為に、歯止めの異なる回転方向を利用し回動や嵌止する目的を達成するレンチを研究開発した。しかし、ラチェットレンチを使用した場合は、通常、ハンドルとソケットを組み合わせて使用する故、ハンドルを同じ方向に回転させ歯止めを動かしてボルトを回動させて締めたりボルトを抜いたりする。しかしながらこのような加工操作のステップや方法は、多種の工具や組み合わせる物が必要となり、使用上においては非常に面倒で不便である。 
【０００３】
そこで業者は手工具を結合した工具を研究開発した。それは、特許文献１の『ラチェットレンチの制動構造』である。図６に、公知の制動構造の立体分解図を示す。その特徴は、レンチ本体Ａに備えた内設部Ａ１の周囲エッジに歯止めＡ１１を配置し、内設部Ａ１の底部と上部には外側方向に切除した位置制限溝Ａ１２、位置制限溝Ａ１３を備え、制動輪Ｂ内部には工具頭に嵌合結合する工具槽Ｂ１を貫設し、外側周囲には均等に小から徐々に大きく弧状に延伸する制動槽Ｂ２を凹設し、制動槽Ｂ２の最小斜面位置は嵌合結合面Ｂ２１であり、各制動槽Ｂ２の嵌合結合面Ｂ２１は同一方向に回転するよう設置し、制動槽Ｂ２のもう一方側には固定溝Ｂ２２を備える。また、制動輪Ｂの底縁外側周囲エッジには支承部Ｂ３を突出し、歯止め体Ｃ外側には制動槽Ｂ２の嵌合結合面Ｂ２１を係合させ、嵌合結合面Ｃ１を設置し、もう一方側には歯止めＣ２を設け、歯止め体Ｃの嵌合結合面Ｃ１の逆側端には固定溝Ｃ３を備える。制動輪Ｂをレンチ本体Ａの内設部Ａ１下方から挿入し、並びに、支承部Ｂ３と歯止めＡ１１底部の位置制限溝Ａ１２を係合し、歯止め体Ｃと弾性部品Ｃ４は順序に基づき制動輪Ｂの制動槽Ｂ２中に内設し、弾性部品Ｃ４の二辺はそれぞれ固定溝Ｂ２２中に内設して位置制限し、並びに、歯止め体Ｃを外側に押し、歯止め体Ｃの嵌合結合面Ｃ１と制動輪Ｂの嵌合結合面Ｂ２１を係合させ、且つ、歯止め体Ｃの歯止めＣ２はレンチ本体Ａの歯止めＡ１１に係合させ、更に固定リング蓋Ｄをレンチ本体Ａの内設部Ａ１上部の位置制限溝Ａ１３箇所に被覆して固定し、並びに、固定リング蓋Ｄの中空リング箇所で制動輪Ｂ上方を支える。
【０００４】
しかし公知の制動構造は実際使用する時、次の通り非常に多くの欠点や不便が存在する。
（１）レンチ本体Ａは制動輪Ｂの制動槽Ｂ２において、弾性部品Ｃ４によって歯止め体Ｃを上方に圧するが、弾性部品Ｃ４は固定していないことから、操作過程において飛び出しや傾き、位置移動等が起き易く、歯止め体Ｃをスムーズに上方に圧することができず、引っ掛かって動かなくなることが容易に発生する。
（２）レンチ本体Ａを操作する時、逆時計回転して弾性部品Ｃ４が歯止め体Ｃを上方に圧し、歯止め体Ｃは歯止めＣ２によって内設部Ａ１の歯止めＡ１１に嵌止する。レンチ本体Ａが時計回りである時、歯止め体Ｃが制動槽Ｂ２箇所において内側方向に収縮し、並びに固定溝Ｃ３で弾性部品Ｃ４を押すが、弾性部品Ｃ４は歯止め体Ｃの圧縮を受けて、弾性部品Ｃ４が弾性回復力によって上方に押し、歯止め体Ｃの歯止めＣ２が内設部Ａ１の歯止めＡ１１に嵌止する為、レンチ本体Ａはスムーズな回転が不可能になる。
【０００５】
よって、公知のレンチ本体の制動構造において残される嵌止の問題を如何に解決するかがこの業界に従事する関連メーカーが研究すべき改善方向である。
【０００６】
【特許文献１】台湾実用新案第Ｍ３１０７７５号
【考案の開示】
【考案が解決しようとする課題】
【０００７】
そこで、考案者は前述の問題や欠点に鑑み、関連資料を収集し、多方面に渡る評価と思考により、この業界に従事し累積した長年の経験に基づき、絶え間ない試作及び修正を続け、便利に回転し嵌止し難い手工具の制動装置を創作し、本実用新案の誕生となった。
【０００８】
本考案の主要目的は、該手工具の一方側に内設孔を設け、並びに、内設孔内面に内歯止めを設け、内設孔２１に回動体２３、制止体２４を納め、回動体２３の外側には等分に複数のカット面を設け、制止体内側の押止面を押止し、更に、外側には外歯止め２４２を設け、相対する内設孔２１の内歯止め２２に嵌合し、各制止体２４の両側はそれぞれ連動棒２５でカット面２３１両側に嵌設し、内設孔２１の両側はそれぞれ側面蓋板２６によって内設孔２１の両側を封鎖すると、回動体２３及び複数の制止体２４は内設孔２１の内歯止め２２において時計回り（または逆回り）で回転、嵌止、圧止し、逆回り（または時計回り）回転動作するラチェット機能を実現する。
【課題を解決するための手段】
【０００９】
請求項１の考案は、特に、手工具上にラチェット式の制動ユニットを設置した装置であり、最低、手工具及び制動ユニットによって構成され、該手工具の一方側は部品組み立てに合わせて調整する操作部とし、
該手工具の別側には制動ユニットを設け、該制動ユニットは内歯止めを備えた内設孔２１を備え、且つ、内設孔には嵌合孔を備える回動体を納め、並びに、回動体の外側は制止体を可動状態で連結した複数のカット面を等分して設け、各制止体外側には相対する内歯止めに嵌止する外歯止めを設け、内側には回動体のカット面を圧し接触する押止面を設け、更に、各制止体の両側にはそれぞれ、カット面両側に嵌設する連動棒を設け、各制止体及び内部に位置する回動体に納める内設孔両側にはそれぞれ、内設孔両側を封鎖する側面蓋板を設け、並びに、二つの側面蓋板上にはそれぞれ、回動体の嵌合孔に位置を合わせる貫通孔を設けることを特徴とする手工具の制動装置としている。
請求項２の考案は、前記手工具の内設孔の内歯止めは回動体及び複数の制止体に係合し、歯止めの一方向回転機能を備えるラチェットレンチを構成することを特徴とする請求項１記載の手工具の制動装置としている。
請求項３の考案は、前記手工具の内設孔は両側に凹部それぞれを設け、並びに、凹部の側面周囲には嵌合溝を備え、両側の凹部にはそれぞれ二つの側面蓋板を置き、更に二つの側面蓋板の外表面には、側面周囲の嵌合溝に嵌入して二つの側面蓋板の位置を制限し凹部に定位させる位置制限リングを設けることを特徴とする請求項１記載の手工具の制動装置としている。
請求項４の考案は、前記回動体内部に設けた嵌合孔は、四角形、六角形、多角形、梅花形、星形等形状の空洞孔であることを特徴とする請求項１記載の手工具の制動装置としている。
請求項５の考案は、前記回動体の外側には三角形、四角形、五角形、多角形等形状を成すカット面を等分に設けることを特徴とする請求項１記載の手工具の制動装置としている。
請求項６の考案は、前記回動体の各外側カット面に相隣する連結箇所の両側面にはそれぞれ、制止体の連動棒を定位させる為の定位孔を設けることを特徴とする請求項１記載の手工具の制動装置としている。
請求項７の考案は、前記制止体外部に設けた外弧面は、手工具の内設孔の孔径に適合し、しかも外弧面上には時計回りで嵌合し、逆時計回りで内歯止めから離れる外歯止めを設けることを特徴とする請求項１記載の手工具の制動装置としている。
請求項８の考案は、前記の制止体両側に設けた連動棒はく形状を成し、制止体内側の押止面は回動体のカット面に密着するか、押止面と回動体のカット面を分離して間隔を持たせることを特徴とする請求項１記載の手工具の制動装置としている。
請求項９の考案は、前記の手工具の一方側に設けた操作部は、開口式のモンキーレンチ、円環式のトルクスレンチ、ハンマー、ドライバー等の手工具とすることを特徴とする請求項１記載の手工具の制動装置としている。
【考案の効果】
【００１０】
本考案の手工具の制動装置には、次に挙げる特徴がある。
（１）制動ユニット２の内設孔２１に内設される回動体２３は、各カット面２３１において複数の連動棒２５によって制止体２４に可動状態で連結し、各連動棒２５は回動体２３の移動に伴って、各制止体２４も回転する故、制止体２４の離脱や抜け落ちる状況は発生せず、手工具１回転過程において、制動ユニット２はスムーズに回動する。
（２）制動ユニット２の内設孔２１に内設される回動体２３は、制動ユニット２が時計回りに回転する時、まず各制止体２４を外方向に押すと、各制止体２４の上方圧止面２４１１は回動体２３の各カット面２３１を圧して密着し、並びに、回動体２３のカット面２３１は各制止体２４を上方に押止し、更に外歯止め２４２が内設孔２１の内歯止め２２に嵌止して離脱せず抜け落ちない状態が形成される。
【考案を実施するための最良の形態】
【００１１】
図１、図２、図３に、本考案の立体外観図、立体分解図、側面断面図を示す。図中で理解できる通り、本考案の手工具の制動装置は、手工具１、制動ユニット２によって構成される。
【００１２】
該手工具１は一方側に操作部１１を設け、且つ操作部１１は組み立て部品に合わせて調整、変化する。
【００１３】
該制動ユニット２は内部に内設孔２１を備え、且つ内設孔２１の両外側にはそれぞれ凹部２１１を設け、並びに、凹部２１１の側面周囲には嵌合溝２１２を備え、両側の凹部２１１間の内設孔２１の内面周囲には内歯止め２２を繞設する。更に、内設孔２１には回動体２３を納め、回動体２３の内部には嵌合孔２３０を設け、外部は等分に複数のカット面２３１を設け、並びに、各カット面２３１に相隣する連結箇所の両側面にはそれぞれ、定位孔２３２を設け、且つ各カット面２３１の外側にはそれぞれ制止体２４を対応させ、各制止体２４内側には各カット面２３１を押止密着する押止面２４１を設け、押止面２４１の一方側には傾斜カット状を成す上方圧止面２４１１を備え、更に、各制止体２４の外側には弧面状を設け、並びに弧面に基づいて設置した複数の外歯止め２４２を設け、また、各制止体２４の押止面２４１と外歯止め２４２の別の二つの側面２４３上に、それぞれ嵌止孔２４４を設け、各嵌止孔２４４にそれぞれ、く形状を成す連動棒２５を固設し、且つ、複数の連動棒２５の一方側を各回動体２３の各定位孔２３２に嵌入する。また、回動体２３の嵌合孔２３０両外側を、それぞれ側面蓋板２６で被覆し、且つ、二つの側面蓋板２６をそれぞれ内設孔２１の凹部２１１内に嵌入し、二つの側面蓋板２６の外部はそれぞれ位置制限リング２７によって押止し、並びに、両側の位置制限リング２７をそれぞれ凹部２１１側壁の嵌合溝２１２内に嵌入して、回動体２３、複数の制止体２４、連動棒２５、及び二つの側面蓋板２６を内設孔２１内に納め、定位させる。
【００１４】
前述の各構成要素を組立てる時、手工具１の操作部１１から離れた別側に制動ユニット２を結合する。また、制動ユニット２の内設孔２１によって回動体２３を回転動作させ、且つ回動体２３の各カット面２３１箇所に設けた各制止体２４に係合させ、嵌止または分離状態を形成し、制動ユニット２にラチェット式一方向回転動作を備える機能を持たせる。
【００１５】
前述した手工具１の一方側に設けた操作部１１は、開口式のモンキーレンチ、円環式のトルクスレンチ、ハンマー、ドライバー等の形式とする。且つ、回動体２３内部に設けた嵌合孔２３０は、四角形、六角形、多角形、梅花形、星形等形状の空洞孔であり、嵌合孔２３０を各式ボルト類の頭部外形に合わせて嵌合して、ボルト頭を回転させる。また、回動体２３の外側には等分する三角形、四角形、五角形、または多角形等形状のカット面２３１を形成し、並びに、各カット面２３１にはそれぞれ制止体２４を組み合わせる。
【００１６】
図２、図４、図５に、本考案の立体分解図、最良実施例の時計回り時の平面図、最良実施例の逆回り時の平面図を示す。図に示した通り、本考案の制動装置は、手工具１の一方側の制動ユニット２の嵌合孔２３０を係合する螺着部品３の各外側面３１に嵌止し、手工具１を回して螺着部品３を回動し、手工具１が時計回りに回動したなら、制動ユニット２内部の回動体２３における各カット面２３１が各制止体２４の押止面２４１を押し動かし、並びに、各制止体２４がプッシュ力を受けて外方向に移動し、制止体２４両側の連動棒２５によって各制止体２４は回転し、並びに、その押止面２４１一方側の上方圧止面２４１１が各カット面２３１を上方に押止することにより、各押止面２４１と各カット面２３１間は分離して隙間が生じ、各制止体２４の外弧面の外歯止め２４２を形成、それぞれは内設孔２１の内歯止め２２に嵌合し、回動体２３、複数の制止体２４はそれぞれ内設孔２１の内歯止め２２箇所に嵌止定位する。
【００１７】
手工具１が逆時計回りである時、制動ユニット２内部の回動体２３において、該回動体２３の各カット面２３１箇所の各制止体２４はその内側の押止面２４１によって、回動体２３の各カット面２３１にそれぞれ密着すると、各制止体２４外側の外歯止め２４２は内設孔２１の内歯止め２２から外れる。制動ユニット２は逆時計回りの回転によって、ラチェット式の回転を形成して螺着部品３を回動し、これにより螺着部品３を締めたり緩めることができる。また、回動体２３の各カット面２３１は複数の連動棒２５によって制止体２４に可動状態で連結し、また各連動棒２５は回動体２３の移動に伴い、各制止体２４を動かす故に、制止体２４の離脱や抜け落ちる問題が発生することがなく、手工具１回転過程において、制動ユニット２はスムーズに回動させることができる。
【００１８】
前述の手工具１の一方側の制動ユニット２が時計回りに回転する時、回動体２３の各カット面２３１に連結した複数の制止体２４において、外歯止め２４２が内設孔２１の内歯止め２２を外れ、制動ユニット２が逆時計回りに回転する時、回動体２３の各カット面２３１に連結した複数の制止体２４は外歯止め２４２が内設孔２１の内歯止め２２に嵌合して、嵌止状態を形成する。
【００１９】
よって、以上に前述したものは本考案の最良実施例であるだけで、これによって本考案の請求範囲を制限するものではない。本考案の制動装置は手工具１一方側に制動ユニット２を設け、並びに制動ユニット２の内設孔２１内部に内歯止め２２を備え、しかも内歯止め２２に係合する回動体２３及び複数の制止体２４を設けてあり、並びに複数の制止体２４が連動棒２５によって回動体２３の各カット面２３１に可動状態で連結されている。また、手工具１が制動ユニット２を回動した時、時計回り方向であるなら、各制止体２４の押止面２４１は上方圧止面２４１１が回動体２３の各カット面２３１に密着し、並びに、各制止体２４の外歯止め２４２が内歯止め２２に嵌止される。もし逆時計回りに回動した場合は、各制止体２４の外歯止め２４２と内歯止め２２は分離し、制動ユニット２にはラチェット式の回転が生じる。よって、前述効果を達成する構造、装置は全て、本考案の範囲内であり、並びに、簡易修飾及び同等構造の変化は全て、本考案の請求の範囲内に含まれることを明記する。
【００２０】
前述した本考案の手工具の制動装置を実際に使用する際には、次に挙げる長所がある。
（１）制動ユニット２の内設孔２１に内設される回動体２３は、各カット面２３１において複数の連動棒２５によって制止体２４に可動状態で連結し、各連動棒２５は回動体２３の移動に伴って、各制止体２４も回転する故、制止体２４の離脱や抜け落ちる状況は発生せず、手工具１回転過程において、制動ユニット２はスムーズに回動する。
（２）制動ユニット２の内設孔２１に内設される回動体２３は、制動ユニット２が時計回りに回転する時、まず各制止体２４を外方向に押すと、各制止体２４の上方圧止面２４１１は回動体２３の各カット面２３１を圧して密着し、並びに、回動体２３のカット面２３１は各制止体２４を上方に押止し、更に外歯止め２４２が内設孔２１の内歯止め２２に嵌止して離脱せず抜け落ちない状態が形成される。
【００２１】
よって、本考案は主に、手工具１の一方側にある制動ユニット２に対して、内設孔２１が回動体２３と複数の制止体２４を納めるものであり、制動ユニット２が回転する時、回動体２３が制止体２４を押して内歯止め２２に嵌止させるか、制止体２４と内歯止め２２が分離することを確実に行わせることを重点とし、制動ユニット２が異なる方向に回動する時、ラチェット式の回動が優勢となる。但し、前述は本考案の最良実施例を述べただけであり、これにより本考案の請求の範囲を制限するものではなく、本考案の明細書や図面内容に為された簡易修飾及び同等構造変化は全て、本考案の請求の範囲に含まれることを明記する。
【図面の簡単な説明】
【００２２】
【図１】本考案の立体外観図である。
【図２】本考案の立体分解図である。
【図３】本考案の側面断面図である。
【図４】本考案の実施例における時計回り時の平面図である。
【図５】本考案の実施例における逆時計回り時の平面図である。
【図６】公知の制動構造における立体分解図である。
【符号の説明】
【００２３】
１  手工具
１１  操作部
２  制動ユニット
２１  内設孔
２１１  凹部
２１２  嵌合溝
２２  内歯止め
２３  回動体
２３０  嵌合孔
２３１  カット面
２３２  定位孔
２４  制止体
２４１  押止面
２４１１  上方圧止面
２４２  外歯止め
２４３  側面
２４４  嵌止孔
２５  連動棒
２６  側面蓋板
２６１  貫通孔
２７  位置制限リング
３  螺着部品
３１  外側面
Ａ  レンチ本体
Ａ１  内設部
Ａ１１  歯止め
Ａ１２  位置制限溝
Ａ１３  位置制限溝
Ｂ  制動輪
Ｂ１  工具槽
Ｂ２  制動槽
Ｂ２１  嵌合結合面
Ｂ２２  固定溝
Ｂ３  支承部
Ｃ  歯止め体
Ｃ１  嵌合結合面
Ｃ２  歯止め
Ｃ３  固定溝
Ｃ４  弾性部品
Ｄ  固定リング蓋
【図１】
0003146106.tif 000003
【図２】
0003146106.tif 000004
【図３】
0003146106.tif 000005
【図４】
0003146106.tif 000006
【図５】
0003146106.tif 000007
【図６】
0003146106.tif 000008
【手続補正書】
【提出日】平成20年8月29日(2008.8.29)
【手続補正１】
【補正対象書類名】実用新案登録請求の範囲
【補正対象項目名】請求項９
【補正方法】変更
【補正の内容】
【請求項９】
前記の手工具の一方側に設けた操作部は、開口式のモンキーレンチ、円環式のトルクス（登録商標）レンチ、ハンマー、ドライバー等の手工具とすることを特徴とする請求項１記載の手工具の制動装置。
【手続補正２】
【補正対象書類名】明細書
【補正対象項目名】０００２
【補正方法】変更
【補正の内容】
【０００２】
機械の工作機具の操作、メンテナンス、構成要素の装着、組立て、及び関連する作業工程等において、通常、各種の工具、ジグ、カッター等が使用されている。多くの手工具の中で使用率が高く頻繁に使用される、例えばボルトを回転させるレンチは、ボルト頭の外形に合わせて適当な手工具を選択しなければならず、その内、最もよく使用されるレンチには、モンキーレンチ、トルクス（登録商標）レンチ、六角レンチ等がある。しかし、各種レンチを使用する場合、回動角度または周辺器具に邪魔をされる故、使用する場合、回転、戻し、位置を合わせて嵌設、回転を繰り返してこそボルトを締めたり外すことが可能となる。このような操作方式は、レンチ使用時の操作を不便にし、戻したり位置を合わせて嵌合する等の動作を繰り返した後は、非常に多くの時間や労力が使われる。そこで業者は、手工具使用における不便性を解決する為に、歯止めの異なる回転方向を利用し回動や嵌止する目的を達成するレンチを研究開発した。しかし、ラチェットレンチを使用した場合は、通常、ハンドルとソケットを組み合わせて使用する故、ハンドルを同じ方向に回転させ歯止めを動かしてボルトを回動させて締めたりボルトを抜いたりする。しかしながらこのような加工操作のステップや方法は、多種の工具や組み合わせる物が必要となり、使用上においては非常に面倒で不便である。
【手続補正３】
【補正対象書類名】明細書
【補正対象項目名】０００９
【補正方法】変更
【補正の内容】
【０００９】
請求項１の考案は、特に、手工具上にラチェット式の制動ユニットを設置した装置であり、最低、手工具及び制動ユニットによって構成され、該手工具の一方側は部品組み立てに合わせて調整する操作部とし、
該手工具の別側には制動ユニットを設け、該制動ユニットは内歯止めを備えた内設孔２１を備え、且つ、内設孔には嵌合孔を備える回動体を納め、並びに、回動体の外側は制止体を可動状態で連結した複数のカット面を等分して設け、各制止体外側には相対する内歯止めに嵌止する外歯止めを設け、内側には回動体のカット面を圧し接触する押止面を設け、更に、各制止体の両側にはそれぞれ、カット面両側に嵌設する連動棒を設け、各制止体及び内部に位置する回動体に納める内設孔両側にはそれぞれ、内設孔両側を封鎖する側面蓋板を設け、並びに、二つの側面蓋板上にはそれぞれ、回動体の嵌合孔に位置を合わせる貫通孔を設けることを特徴とする手工具の制動装置としている。
請求項２の考案は、前記手工具の内設孔の内歯止めは回動体及び複数の制止体に係合し、歯止めの一方向回転機能を備えるラチェットレンチを構成することを特徴とする請求項１記載の手工具の制動装置としている。
請求項３の考案は、前記手工具の内設孔は両側に凹部それぞれを設け、並びに、凹部の側面周囲には嵌合溝を備え、両側の凹部にはそれぞれ二つの側面蓋板を置き、更に二つの側面蓋板の外表面には、側面周囲の嵌合溝に嵌入して二つの側面蓋板の位置を制限し凹部に定位させる位置制限リングを設けることを特徴とする請求項１記載の手工具の制動装置としている。
請求項４の考案は、前記回動体内部に設けた嵌合孔は、四角形、六角形、多角形、梅花形、星形等形状の空洞孔であることを特徴とする請求項１記載の手工具の制動装置としている。
請求項５の考案は、前記回動体の外側には三角形、四角形、五角形、多角形等形状を成すカット面を等分に設けることを特徴とする請求項１記載の手工具の制動装置としている。
請求項６の考案は、前記回動体の各外側カット面に相隣する連結箇所の両側面にはそれぞれ、制止体の連動棒を定位させる為の定位孔を設けることを特徴とする請求項１記載の手工具の制動装置としている。
請求項７の考案は、前記制止体外部に設けた外弧面は、手工具の内設孔の孔径に適合し、しかも外弧面上には時計回りで嵌合し、逆時計回りで内歯止めから離れる外歯止めを設けることを特徴とする請求項１記載の手工具の制動装置としている。
請求項８の考案は、前記の制止体両側に設けた連動棒はく形状を成し、制止体内側の押止面は回動体のカット面に密着するか、押止面と回動体のカット面を分離して間隔を持たせることを特徴とする請求項１記載の手工具の制動装置としている。
請求項９の考案は、前記の手工具の一方側に設けた操作部は、開口式のモンキーレンチ、円環式のトルクス（登録商標）レンチ、ハンマー、ドライバー等の手工具とすることを特徴とする請求項１記載の手工具の制動装置としている。